(57)【要約】【課題】  設置後もレイアウト変更が可能な収納部を有するキッチンを提供する。【解決手段】  コ字型の外側板部６と、それをふさぐように配置した平面の内側板部５と、で形成された両側板１と、その上方に配置されたカウンター２と、からなるキッチンカウンターであって、両側板１の内側板部５に複数の取付け孔３を設け、両側面の対向した取付け孔３間に端部に切欠き７を有するバー材４を掛け渡して着脱自在に係合させることで設置後もレイアウト変更が可能。【選択図】図１
2006087546.tif 000002
【特許請求の範囲】
【請求項１】
両側板と、両側板の上方に配置したカウンターと、を備えてなるキッチンカウンターであって、両側板の内側面に複数の取付け孔を形成し、両内側面の対向する取付け孔間にバー材を掛け渡して着脱自在に取付けたことを特徴とするキッチンカウンター。
【請求項２】
前記側板の内部が中空であり、その内側板部に複数の取付け孔を設けていることを特徴とする請求項１記載のキッチンカウンター。
【請求項３】
前記側板が、横断面が内側開口のコ字型の外側板部と、外側板部の開口をふさぐように取付けられた平板状の内側板部とからなり、内側板部に複数の取付け孔を設けていることを特徴とする請求項２記載のキッチンカウンター。
【請求項４】
バー材の端部に切欠きを形成し、この切欠きを取付け孔の周縁に係合してバー材を固定したことを特徴とする請求項２又は３記載のキッチンカウンター。
【請求項５】
複数のバー材を前後同一の高さに取付け、複数のバー材の上に引出しを前後方向に出し入れできるように載置したことを特徴とする請求項１〜４のいずれか一つに記載のキッチンカウンター。
【発明の詳細な説明】
【技術分野】
【０００１】
本発明は、カウンター下部に収納部を設けたキッチンカウンターに関するものである。
【背景技術】
【０００２】
従来から、特開平８−１３１２７３号公報に示されるが如く、両側板と、カウンターからなるキッチンカウンターは、その内部を収納部として使用されている。この収納部に、戸棚や引き出しを取付けることで収納部を区切り、収納性の向上を図っている。
【０００３】
しかしながら、この場合には、キッチンカウンターを設置後に、収納部の戸棚や引き出しのレイアウト変更を行うことは困難であった。
【特許文献１】特開平８−１３１２７３号公報
【発明の開示】
【発明が解決しようとする課題】
【０００４】
本願発明は、上記従背景技術に鑑みて発明されたものであり、その課題は、設置後もレイアウト変更が可能な収納部を有し、デザイン性の高いキッチンカウンターを提供することである。
【課題を解決するための手段】
【０００５】
上記課題を解決するために、本願発明は、両側板と、両側板の上に配置したカウンターと、を備えてなるキッチンカウンターであって、両側板の内側面に複数の取付け孔を形成し、両内側面の対向する取付け孔間にバー材を掛け渡して着脱自在に取付けてキッチンカウンターとしたものである。
【発明の効果】
【０００６】
本願発明のキッチンカウンターにおいては、両側板の内側面に形成された複数の取付け孔にバー材を着脱自在に掛け渡して取付けることにより、キッチンカウンターを設置した後も、収納部のレイアウト変更が可能となり、デザイン性も高くなる。
【発明を実施するための最良の形態】
【０００７】
図１〜３は、本願の請求項１〜５すべてに対応した一実施形態であるキッチンカウンターを示している。この実施形態のキッチンカウンターは、図１に示す如く、両側板１と、その上方に設けられたカウンター２と、を備えている。この場合に、両側板１の内側面には複数の取付け孔３が設けられており、バー材４が取付け孔３に掛け渡して着脱自在に取付けられている。
【０００８】
又、この実施形態のキッチンカウンターでは、図２に示す如く、両側板１の内部が中空であり、その内側板部５には複数の取付け孔３が設けられている。
【０００９】
又、この実施形態のキッチンカウンターでは、図２に示す如く、横断面が内側開口のコ字型の外側板部６と、外側板部６の開口をふさぐように取付けられた平板状の内側板部５とからなり、内側板部５に複数の取付け孔３が設けられている。
【００１０】
又、この実施形態のキッチンカウンターでは、図３に示す如く、バー材４の端部に切欠き７を形成し、この切欠き７を取付け孔３の周縁に係合してバー材４を固定している。
【００１１】
又、この実施形態のキッチンカウンターでは、図１に示す如く、複数のバー材４を前後同一の高さに取付け、複数のバー材４上に前後に出し入れできるように引き出し８を載置している。
【００１２】
以下、この実施形態のキッチンカウンターを、より具体的詳細に説明する。図１、２に示す如く、内側板部５及び外側板部６はステンレス製で、外側板部６は内側に開口したコ字型であり、それを塞ぐように平板状の内部板部５が配置され、それぞれはビス止めもしくは溶着により接合されており、内側板部５には取付け孔３が同一高さで等間隔に設けられている。またこの取付け孔３は、いくつかの高さに複数段設けられている。又、この取付け孔３は、対向する内側板部５において、対称に設けられている。
【００１３】
カウンター２はステンレス製で、図１に示す如く、コンロ９、カラン１０及びシンク１１が設けられている。このカウンター２は、両側板１にかぶさる大きさであり、カウンター２と両側板部１とが面一になるようにビス止めもしくは溶着することにより固定されている。
【００１４】
バー材４はステンレス製であり、その断面は円形で、その外径は取付け孔３の内径よりも小さい。バー材４の長さは、内側板部５内面間よりも長く、両側板１の片側の取付け孔３にバー材４を挿入した時それとは逆側の内側板部５内面には触れない長さに設定されており、両側板１に着脱自在に取り付けてある。又、図３に示す如く、その端部には切欠き７が設けられている。
【００１５】
又、図１に示す如く、複数のバー材４を両側板１間に同一高さに取付け、その上に引出し８を前後取り出し可能に載置している。この引出し８は、前面板を高く設けている。
【００１６】
したがって、この実施形態のキッチンカウンターにおいては、両側板１間にバー材４を取り付けることによりＳ字フック１２等の取付け具を用いることで調理用具を収納することができ、しかも、バー材４は着脱自在であるので、キッチンカウンターを設置した後でも収納スペースのレイアウト変更が可能となる。このとき、バー材４を同一高さに取り付けることにより、棚板として使用することができる。
【００１７】
又、バー材４の端部には切欠き７が設けられており、バー材４が両側板１から外れるのを防止できる。
【００１８】
又、複数のバー材４を両側板１間に同一高さに取り付け、その上に引出し８を載置できる。しかも、バー材４は着脱自在であるので、引出し８の大きさに合わせてバー材４を設けることで、あらゆる大きさの引出し８を容易に設置でき、バー材４は断面が円形であるので、引き出し８を引き出す際に摩擦が少なくなり、引出し８が出し入れしやすい。
【００１９】
又、引出し８は前面板が高く設けられているため、前面板の後ろ側が低く凹部となっており、引出し８をキッチンカウンター本体に挿入した際に、引出し８の同凹部にシンク１１や配水管がうまく収納できるようになっている。
【００２０】
図４、５は、本願の請求項１〜４に対応した他の実施形態であるキッチンカウンターを示している。この実施形態のキッチンカウンターでは、図４に示す如く、横断面が内側に開口したコ字型の幕板部１３を内側板部５間に前後同一高さに取り付けている。この幕板部１３には、上面、下面及び側面に取付け孔３が複数個設けられている。また、バー材４を対向する幕板部１３間に掛け渡して取付けてももよい。
【００２１】
幕板部１３はステンレス製であり、図５に示す如く、内側に開口したコ字型部材からなっており、内側板部５にビス止めもしくは溶着によって接合されている。
【００２２】
又、バー材４は、幕板部１３の取付け孔３に着脱自在に係合されている。
【００２３】
したがって、この実施形態のキッチンカウンターにおいては、幕板部１３の底面と側面に設けられた取付け孔３や対向する幕板部１３間に掛け渡されたバー材４に、Ｓ字フック１２等の取付け具を用いるなどして調理器具が収納でき、収納スペースを有効に活用できる。
【００２４】
なお、それ以外の部分は上記実施形態と同様の構成であり、その効果についても同様なものが期待される。
【図面の簡単な説明】
【００２５】
【図１】本願発明の一実施形態であるキッチンカウンターを示す斜視図。
【図２】同キッチンカウンターを示す分解斜視図。
【図３】同キッチンカウンターにおけるバー材が両側板の取付け孔に係合された状態を示す断面図。
【図４】本願発明の別の実施形態であるキッチンカウンターを示す分解斜視図。
【図５】同キッチンカウンターの要部を示す（ａ）は斜視図、（ｂ）は断面図。
【符号の説明】
【００２６】
１  両側板
２  カウンター
３  取付け孔
４  バー材
５  内側板部
６  外側板部
７  切欠き
８  引出し
【図１】
2006087546.tif 000003
【図２】
2006087546.tif 000004
【図３】
2006087546.tif 000005
【図４】
2006087546.tif 000006
【図５】
2006087546.tif 000007